(57)【要約】    【課題】  点火時に燃料ガスの過流出を防止するヒューズの誤作動を防止する手段を提供する。    【解決手段】  本ガス制御装置１は、燃料ガスの過流出を防止するヒューズ６を有するヒューズガス栓２に接続されてガスバーナ３へ至るガス通路４と、ガス通路４のヒューズガス栓２側に配設された主電磁弁７と、ガス通路４のガスバーナ３側に配設された温調電磁弁９と、ガス通路４の主電磁弁７と温調電磁弁９との間に介設されて圧力調整を行うガスガバナ８と、点火入力に基づいて主電磁弁７及び温調電磁弁９の開閉を制御する制御部１０とを具備するガス制御装置１であって、制御部１０は、点火入力に基づいて、温調電磁弁９を閉状態から開状態とした後、主電磁弁７を閉状態から開状態とするものである。【選択図】  図１
2006317062.tif 000002
【特許請求の範囲】
【請求項１】
燃料ガスの過流出を防止するためのヒューズを有するガス供給源に接続されて燃焼部へ至るガス通路と、上記ガス通路のガス供給源側に配設された第１の電磁弁と、上記ガス通路の燃焼部側に配設された第２の電磁弁と、上記ガス通路の第１の電磁弁と第２の電磁弁との間に介設され、ガバナ弁がダイヤフラムゴムに連動してガバナ弁座を開閉することにより圧力調整を行うガスガバナと、点火入力に基づいて上記第１の電磁弁及び第２の電磁弁の開閉を制御する制御部とを具備するガス制御装置であって、
上記制御部は、点火入力に基づいて、上記第２の電磁弁を閉状態から開状態とした後、上記第１の電磁弁を閉状態から開状態とする構成を備えるガス制御装置。
【請求項２】
燃料ガスの過流出を防止するためのヒューズを有するガス供給源に接続されて燃焼部へ至るガス通路と、上記ガス通路のガス供給源側に配設された第１の電磁弁と、上記ガス通路の燃焼部側に配設された第２の電磁弁と、上記ガス通路の第１の電磁弁と第２の電磁弁との間に介設され、ガバナ弁がダイヤフラムゴムに連動してガバナ弁座を開閉することにより圧力調整を行うガスガバナと、点火入力に基づいて上記第１の電磁弁及び第２の電磁弁の開閉を制御する制御部とを具備するガス制御装置であって、
上記制御部は、点火入力に基づいて、上記第２の電磁弁を閉状態から開状態として再び閉状態とした後、上記第１の電磁弁を閉状態から開状態とし、次いで第２の電磁弁を閉状態から開状態とする構成を備えるガス制御装置。
【請求項３】
上記第１の電磁弁は、燃焼部への燃料ガスの流通を開閉するものであり、
上記第２の電磁弁は、燃焼部の必要燃焼量に応じて燃料ガスの流量を制御するものである請求項１又は２に記載のガス制御装置。
【発明の詳細な説明】
【技術分野】
【０００１】
本発明は、燃料ガスの過流出を防止するためのヒューズを有するガス供給源から燃焼部へ至るガス通路に配設されるガス制御装置に関するものであり、詳細には、ガス通路に第１の電磁弁、ガスガバナ及び第２の電磁弁が、ガス供給源から燃焼部方向へ順次配設されるガス制御装置に関する。
【背景技術】
【０００２】
この種のガス制御装置は、例えば、図５に示すように、ヒューズガス栓２から燃焼機器５のガスバーナ３へ燃料ガスを供給するガス通路４に、主電磁弁７、ガスガバナ８及び温調電磁弁９が順次配設されてなる。ガスバーナ３は、ガスオーブン等の燃焼機器５の燃焼部を構成するものであり、該燃焼機器５には、使用者の点火入力を受けて、上記主電磁弁７及び温調電磁弁９の開閉を制御する制御部が配設されている。
【０００３】
上記燃焼機器５が使用されていない状態では、主電磁弁７及び温調電磁弁９はともに閉止されており、使用者が燃焼機器５の点火入力を行うと、該点火入力を受けて制御部が主電磁弁７及び温調電磁弁９を順次開放する。これにより、ガスバーナに燃料ガスが供給され、パイロットバーナの火炎によりガスバーナが着火される（例えば、特許文献１参照）。
【０００４】
【特許文献１】特公昭６２−１９６５３号公報
【発明の開示】
【発明が解決しようとする課題】
【０００５】
ところで、上記ヒューズガス栓２には、安全上の理由から、燃料ガスの過流出状態が生じた場合に流路を閉止するヒューズ（図示せず）が設けられているが、燃焼機器５の点火時に、電磁弁７，９が開放するとガス流路４内に瞬間的な擬似過流出状態が生じ、ヒューズが誤作動することがある。そのため、ガスバーナ３の点火ミスを起こすことがあった。
【０００６】
その主な原因について、本発明者は鋭意研究したところ、燃焼機器５の不使用期間において、ガスガバナ８のダイヤフラムゴムがガスガバナ８内に滞留した燃料ガスを吸収することによりガスガバナ８を含む主電磁弁７と温調電磁弁９の間の流路（以下、弁間領域）内が負圧となり、点火に伴って電磁弁７，９が開放された際に、この負圧となった弁間領域に急激に燃料ガスが流入し、瞬間的な擬似過流出状態が発生する。このことによってヒューズが誤作動することを見出すに至った。
【０００７】
本発明は、かかる問題に鑑みてなされたものであり、点火時における燃料ガスの瞬間的な擬似過流出状態の発生を防止し、ヒューズの誤作動を防止する手段を提供することを目的とする。
【課題を解決するための手段】
【０００８】
本発明に係るガス制御装置は、燃料ガスの過流出を防止するためのヒューズを有するガス供給源に接続されて燃焼部へ至るガス通路と、上記ガス通路のガス供給源側に配設された第１の電磁弁と、上記ガス通路の燃焼部側に配設された第２の電磁弁と、上記ガス通路の第１の電磁弁と第２の電磁弁との間に介設され、ガバナ弁がダイヤフラムゴムに連動してガバナ弁座を開閉することにより圧力調整を行うガスガバナと、点火入力に基づいて上記第１の電磁弁及び第２の電磁弁の開閉を制御する制御部とを具備するガス制御装置であって、上記制御部は、点火入力に基づいて、上記第２の電磁弁を閉状態から開状態とした後、上記第１の電磁弁を閉状態から開状態とする構成を備えるものである。
【０００９】
燃焼部の不使用の際には、制御部により第１の電磁弁及び第２の電磁弁は閉状態にされており、弁間領域内は燃料ガスが滞留した密閉空間となる。そして、時間経過とともに、ガスガバナのダイヤフラムゴムが滞留した燃料ガスを吸収するので弁間領域内が大気圧より低い負圧となる。この負圧は、ダイヤフラムゴムが吸収した燃料ガス量に応じて大きくなり、吸収量は時間経過とともに多くなる。したがって、燃焼部の不使用期間が長くなるにつれてガスガバナ内の負圧も大きくなる。
【００１０】
使用者が、燃焼部を使用するために、該燃焼部を備えた燃焼機器等に点火入力を行うと、制御部は、該点火入力を受けて、第２の電磁弁を閉状態から開状態とする。これにより、弁間領域内の負圧が開放される。このとき、第１の電磁弁は閉状態なので、弁間領域の負圧の開放がガス供給源側のヒューズに影響を及ぼすことがない。また、第１の電磁弁の上流側はガス供給圧、下流側は大気圧である。その後、制御部は、第１の電磁弁を閉状態から開状態とする。これにより、第１電磁弁の下流側には燃料ガスが供給されるが、第１の電磁弁の下流側は負圧が開放された大気圧状態であり、弁間領域への急激なガスの流入は発生しないので、瞬間的な擬似過流出状態は発生せず、ヒューズが誤作動することはない。
【００１１】
また、本発明に係るガス制御装置は、燃料ガスの過流出を防止するためのヒューズを有するガス供給源に接続されて燃焼部へ至るガス通路と、上記ガス通路のガス供給源側に配設された第１の電磁弁と、上記ガス通路の燃焼部側に配設された第２の電磁弁と、上記ガス通路の第１の電磁弁と第２の電磁弁との間に介設され、ガバナ弁がダイヤフラムゴムに連動してガバナ弁座を開閉することにより圧力調整を行うガスガバナと、点火入力に基づいて上記第１の電磁弁及び第２の電磁弁の開閉を制御する制御部とを具備するガス制御装置であって、上記制御部は、点火入力に基づいて、上記第２の電磁弁を閉状態から開状態として再び閉状態とした後、上記第１の電磁弁を閉状態から開状態とし、次いで第２の電磁弁を閉状態から開状態とする構成を備えるものである。
【００１２】
上述したように、燃焼部の不使用期間が長くなるにつれて弁間領域内の負圧も大きくなる。
【００１３】
そして、使用者が、燃焼部を使用するために、該燃焼部を備えた燃焼機器等に点火入力を行うと、制御部は、該点火入力を受けて、第２の電磁弁を閉状態から開状態とする。これにより、弁間領域内の負圧が開放され大気圧となる。このとき、第１の電磁弁は閉状態なので、弁間領域内の負圧の開放がガス供給源側のヒューズに影響を及ぼすことがない。つぎに、制御部は、第２の電磁弁を開状態から閉状態とする。これにより、弁間領域内は再び密閉空間となる。その後、制御部は、第１の電磁弁を閉状態から開状態とする。これにより、弁間領域内は大気圧からガス供給圧力となり、ガバナ弁がダイヤフラムに連動しているため、ガバナ弁の位置は弁間領域が大気圧状態の場合の位置より上昇し、ガスガバナ内の流路が絞られた状態となる。そして、制御部が第２の電磁弁を閉状態から開状態とすると、ガス供給源から燃焼部へ燃料ガスが流通されるが、第２の電磁弁の下流側は大気圧であるため、さらにはガバナ弁によってガスガバナ内の流路が絞られているので、瞬間的な擬似過流出状態は発生せず、ヒューズの誤作動が防止される。
【００１４】
なお、上記第１の電磁弁は、燃焼部への燃料ガスの流通を開閉するものであり、上記第２の電磁弁は、燃焼部の必要燃焼量に応じて燃料ガスの流量を制御するものである。
【発明の効果】
【００１５】
本発明に係るガス制御装置によれば、燃焼部の点火の際に、弁間領域内に生じた負圧を燃焼部側の第２の電磁弁を開状態として開放することとしたので、第１の電磁弁を開状態としたときに、弁間領域への急激なガスの流入がなくなり、瞬間的な擬似過流出状態が発生せず、燃焼部を点火する際にガス供給源のヒューズが誤作動することが防止される。よって、燃焼部の点火ミスを防止できる。また、負圧空間への燃料ガスの急激な流入が発生しないので、ガス通路内に大きな圧力変動を生じさせることがなく、ダイヤフラムゴムや、ガス通路内の部品に悪影響を与えることがない。
【発明を実施するための最良の形態】
【００１６】
以下、本発明の実施形態について、適宜図面を参照しながら説明する。
（第１の実施の形態）
図１は、第１の実施の形態に係るガス制御装置１を示すものである。ガス制御装置１は、ヒューズガス栓２（ガス供給源）からガスバーナ３（燃焼部）へ至るガス通路４に設けられている。ガスバーナ３は、例えばガスオーブン等の燃焼機器５の燃焼部を構成するものであり、本ガス制御装置１は、ガスバーナ３の点火及び消火を制御するものとして、例えば燃焼機器５と一体に構成される。
【００１７】
ヒューズガス栓２は、燃料ガスが流通するガス通路４に、該ガス通路４を開閉可能に設けられたものである。使用者は、該ヒューズガス栓２を開閉することにより、燃焼機器５への燃料ガスの供給を制御することができる。ヒューズガス栓２には、燃料ガスの過流出を防止するためのヒューズ６が配設されている。図１には詳細に示していないが、ヒューズ６には、燃料ガスの流量に応じて移動する弁が設けられており、ガスバーナ３の燃焼に要するガス流量を超えて燃料ガスが流出した場合には、上記弁が移動してガス流路を閉止することにより、燃料ガスの過流出が防止されるようになっている。このようなヒューズガス栓２から本ガス制御装置１を具備する燃焼機器５へは、例えばガスホースによりガス通路４が構成され、ガス制御装置１内においては、例えばガス管によりガス通路４が構成されている。
【００１８】
ガス制御装置１は、燃焼機器５内のガス通路４に配設された主電磁弁７（第１の電磁弁）、ガスガバナ８、温調電磁弁９（第２の電磁弁）、及び主電磁弁７と温調電磁弁９の動作を制御する制御部１０とからなる。
【００１９】
主電磁弁７は、ガス通路４のヒューズガス栓２側に配設され、オンオフ形式のものが使用される。主電磁弁７は、ガスバーナ３を点火する際に制御部１０により開状態とされてガス通路４を開放する。これにより、開栓されたヒューズガス栓２を介して燃料ガスがガス通路４を通じてガスバーナ３へ供給される。また、主電磁弁７は、ガスバーナ３を消火する際には、制御部１０により閉状態とされてガス通路４を遮断し、ガスバーナ３への燃料ガス供給を断つ。
【００２０】
温調電磁弁９は、ガス通路４のガスバーナ３側に配設されている制御弁である。温調電磁弁９は、ガスバーナ３を点火する際に制御部１０により開状態とされてガス通路４を開放し、ヒューズガス栓２を介して燃料ガスがガス通路４を通じてガスバーナ３へ供給される。また、温調電磁弁９は、ガスバーナ３を消火する際には、制御部１０により閉状態とされてガス通路４を遮断する。また、温調電磁弁９は、ガスバーナ３の必要燃焼量に応じてガス通路４の開放量を段階的に変化させる形式のものや、オンオフ形式のものがあり、図１には示していないが、制御部１０が、燃焼機器５に設けられたサーミスタ等の温度検知手段の出力信号を受けて、燃焼機器５の燃焼室内が所望の温度になるように、温調電磁弁９を制御する。これにより、ガスバーナ３の燃焼量が制御され、燃焼装置の温度調整が行なわれる。
【００２１】
ガスガバナ８は、ガス通路４において、上記主電磁弁７と温調電磁弁９との間に配設されている。ガスガバナ８は、図２に示すように、筐体１１内に設けられたダイヤフラムゴム１２にスプリング受板１３によってガバナ弁１４が固定され、該ガバナ弁１４は、ガバナ弁座１５に形成された貫通孔１６に挿通され、その先端側が拡径されて貫通孔１６内で昇降可能となっている。ダイヤフラムゴム１２はスプリング受板１３を介してコイルスプリング１７の付勢力を受けており、これにより、ダイヤフラムゴム１２は、上記貫通孔１６を開放する方向へガバナ弁１４を移動させる。
なお、コイルスプリング１７は、スプリング受板１３の反対側端部からスプリング調節ねじ１９によって付勢力が調整可能とされている。
【００２２】
一方、１次圧が２次圧より高くなるにつれ、すなわちヒューズガス栓２側の圧力がガスバーナ３側の圧力より高くなるにつれ、ダイヤフラムゴム１２はコイルスプリング１７の付勢力に反して移動し、これに連動してガバナ弁１４が上記貫通孔１６を閉止する方向へ移動する。このようにダイヤフラムゴム１２に連動するガバナ弁１４による貫通孔１６の開口度によって、燃料ガスの圧力調整が行われる。なお、このようなガスガバナ８は一例であり、本発明に係るガスガバナとして、その他の公知のガスガバナ８を用いてもよい。
【００２３】
制御部１０は、燃焼機器５の点火入力やサーミスタ等の信号に基づいて、上記主電磁弁７及び温調電磁弁９の開閉を制御するマイコン等で構成される。燃焼機器５には、図１に示すように、使用者が点火入力を行うための点火部１８が設けられており、制御部１０は、点火部１８からの点火入力信号を受けて、主電磁弁７及び温調電磁弁９を開閉するための制御信号を発信するようになっている。
【００２４】
以下、燃焼機器５を点火する際の上記制御部１０による上記主電磁弁７及び温調電磁弁９の動作制御について説明する。
燃焼機器５を使用していない場合、すなわちガスバーナ３が消火された状態では、制御部１０は主電磁弁７及び温調電磁弁９をともにオフとして閉状態にしている。これにより、ガス通路４は、ガス制御装置１で遮断され、ガスバーナ３へ燃料ガスは流通しない。また、ガスガバナ８の両側が主電磁弁７及び温調電磁弁９により閉止されているので、弁間領域はガスガバナ８のガス通路部を含む密閉空間であり、燃料ガスが滞留している。
【００２５】
そして、時間経過とともに、ガスガバナ８のダイヤフラムゴム１２が、滞留した燃料ガスを吸収する。ダイヤフラムゴム１２は時間経過とともに燃料ガスを吸収するので、ダイヤフラムゴム１２が吸収した燃料ガス量に応じて弁間領域内の圧力が低下し、大気圧より低い負圧となる。
【００２６】
このように弁間領域内が負圧となった状態で、図３に示すように、使用者が、燃焼機器５を使用するために点火入力を行うと（Ｓ１）、制御部１０は、該点火入力を受けて、温調電磁弁９をオンとして閉状態から開状態にする（Ｓ２）。これにより、密閉状態であった弁間領域は、負圧が開放され大気圧となる。このとき、主電磁弁７はオフで閉状態なので、この負圧の開放が、ヒューズガス栓２のヒューズ６に影響を及ぼすことはない。
【００２７】
続いて、制御部１０は、主電磁弁７をオンとして閉状態から開状態にする（Ｓ３）。弁間領域は前述したように、負圧が既に開放されているので、瞬間的な擬似過流出状態は発生しない。また、ガス通路４内に大きな圧力変動が生じたり、筐体１１内のダイヤフラムゴム１２が急激に移動することはない。したがって、ヒューズ６が誤作動することはない。
【００２８】
主電磁弁７及び温調電磁弁９がオンにされて開状態となることにより、ヒューズガス栓２からガスバーナ３へのガス通路４が開通され、ガスバーナ３へ燃料ガスが供給される。そして、ガスバーナ３はパイロットバーナ（不図示）の火炎等により着火される。
このように、第１の実施形態によるガス制御装置１によれば、弁間領域内が負圧となっていても、負圧を開放してから点火に移るので、瞬間的な擬似過流出状態が発生しない。したがって、ガスバーナ３を点火する際に、ヒューズガス栓２のヒューズ６が誤作動することなく、ガス通路４を開通することができ、ガスバーナ３の着火ミスが防止される。
【００２９】
（第２の実施の形態）
以下、本発明の第２の実施の形態について説明する。
第２の実施の形態に係るガス制御装置は、上記第１の実施の形態のものと比べ、燃焼機器５を点火する際の制御部１０による主電磁弁７及び温調電磁弁９の動作制御が異なるが、その他の構成は同じである。
【００３０】
すなわち、燃焼機器５を使用していない場合には、上記第１の実施の形態と同様に、ダイヤフラムゴム１２が滞留ガスを吸収することによりガスガバナ８内の圧力が低下し、ガスガバナ８が主電磁弁７及び温調電磁弁９の外側のガス通路４内の圧力に対して負圧となる。
【００３１】
このように弁間領域内が負圧となった状態で、図４に示すように、使用者が、燃焼機器５を使用するために点火入力を行うと（Ｓ１１）、制御部１０は、該点火入力を受けて、温調電磁弁９をオンとして閉状態から開状態にする（Ｓ１２）。これにより、密閉状態であった弁間領域の負圧が開放される。このとき、主電磁弁９はオフで閉状態なので、このガスガバナ８の負圧の開放が、ヒューズガス栓２のヒューズ６に影響を及ぼすことはない。
【００３２】
続いて、制御部１０は、温調電磁弁９をオフとして開状態から閉状態する（Ｓ１３）。これにより、弁間領域内は大気圧の密閉空間となるが、次に主電磁弁７が開状態とされるまでの時間は短時間であるので、この間に、ダイヤフラムゴム１２が弁間領域内の燃料ガスを吸収することはない。
【００３３】
そして、制御部１０は、主電磁弁７をオンとして閉状態から開状態とする（Ｓ１４）。これにより、弁間領域はガス供給圧となり、ガスガバナ８のガバナ弁１４の位置は上昇し、ガバナ弁１４は絞られた状態となる。また、温調電磁弁９は閉状態なので、温調電磁弁９の下流側は大気圧となる。
【００３４】
続いて、制御部１０は、温調電磁弁９をオンとして閉状態から開状態にする（Ｓ１５）。主電磁弁７及び温調電磁弁９がともにオンにされて開状態となることにより、ヒューズガス栓２からガスバーナ３へのガス通路４が開通され、ガスバーナ３へ燃料ガスが供給される。この際には、前述したように、弁間領域内の負圧は開放されているので、ガス通路４にヒューズ６を作動させるような圧力変動は生じない。そして、ガスバーナ３はパイロットバーナ（不図示）の火炎等により着火される。
このように、上記第２の実施形態による本ガス制御装置１においても、ガスバーナ３の点火の際に、弁間領域内が負圧となっていても、負圧を開放し、温調電磁弁９までのガス通路をガス供給圧としてから点火に移行するので、ヒューズガス栓２のヒューズ６が誤作動することなく、ガス通路４を開通することができるから、ガスバーナ３の着火ミスが防止される。
【００３５】
なお、本発明は、上記各実施の形態１，２のものに限定されず、例えば、上記温調電磁弁９は、並列に複数個備えていてもよく、温調電磁弁９が複数有する場合は、上記制御部１０による点火時の開放動作として少なくとも１つの温調電磁弁９が上述の開弁動作を行えばよい。
【図面の簡単な説明】
【００３６】
【図１】本発明の第１の実施の形態に係るガス制御装置１の構成を示す模式図である。
【図２】ガスガバナ８の主要構成を示す断面図である。
【図３】本発明の第１の実施の形態に係るガス制御装置１の主電磁弁７及び温調電磁弁９の動作制御を示すフローチャートである。
【図４】本発明の第２の実施の形態に係るガス制御装置１の主電磁弁７及び温調電磁弁９の動作制御を示すフローチャートである。
【図５】ヒューズガス栓に接続された燃焼機器におけるガス制御装置の構成を示す模式図である。
【符号の説明】
【００３７】
１・・・ガス制御装置
２・・・ヒューズガス栓（ガス供給源）
３・・・ガスバーナ（燃焼部）
４・・・ガス通路
５・・・燃焼機器
６・・・ヒューズ
７・・・主電磁弁（第１の電磁弁）
８・・・ガスガバナ
９・・・温調電磁弁（第２の電磁弁）
１０・・・制御部
１２・・・ダイヤフラムゴム
１４・・・ガバナ弁
１５・・・ガバナ弁座
【図１】
2006317062.tif 000003
【図２】
2006317062.tif 000004
【図３】
2006317062.tif 000005
【図４】
2006317062.tif 000006
【図５】
2006317062.tif 000007